(57)【要約】【課題】ゲートドライバが内蔵された液晶パネル及びその駆動方法を提供する。【解決手段】外部のタイミング制御部から入力されるゲートラインオン信号に応答して、液晶パネルのゲートラインをｋライン間隔でｎ個のゲートライン単位のインターリービング方式で順次スキャニングするように、液晶パネルのゲートラインのスキャン順序を設定するゲートラインシフト回路を備え、外部のソースドライバから出力されたソースデータをゲートラインシフト回路で設定されたインターリービング方式のゲートラインスキャン順序にデータをディスプレイする液晶パネルである。【選択図】図６
2006018299.tif 000002
【特許請求の範囲】
【請求項１】
ゲートドライバが内蔵された液晶パネルにおいて、
複数のゲートラインと複数のデータラインとが交差する領域に形成された複数の画素と、
前記液晶パネルの外部のタイミング制御部から入力されるゲートラインオン信号に応答して、前記液晶パネルのゲートラインを所定のｋライン間隔で所定のｎ個のゲートライン単位のインターリービング方式で順次スキャニングするように、前記液晶パネルのゲートラインのスキャン順序を設定するゲートラインシフト回路と
を備え、
前記液晶パネルは、外部のソースドライバから出力されたソースデータを前記ゲートラインシフト回路で設定された前記インターリービング方式のゲートラインスキャン順序にデータをディスプレイすることを特徴とする液晶パネル。
【請求項２】
前記ゲートラインシフト回路は、前記液晶パネルのゲートラインをｋライン間隔でｎラインずつ順次スキャニングし、前記ｎラインのスキャンが完了すれば、前記スキャニングが完了したゲートラインの隣接するラインからｋライン間隔で次のｎ個のラインをスキャニングし、
ｋ＊ｎ個のゲートラインブロックのスキャニングが完了すれば、隣接する前記ｋ＊ｎ個のゲートラインブロックのスキャニングを反復して１フレームのスキャニングを完了することを特徴とする請求項１に記載の液晶パネル。
【請求項３】
前記液晶パネルは、前記液晶パネルが前記ｎ個のゲートラインのスキャニングが完了する度にゲート電極の極性を反転させることを特徴とする請求項１に記載の液晶パネル。
【請求項４】
前記ｎは、３であり、前記ｋは、２であり、
前記ゲートラインシフト回路は、第２ｋ＋１（ｋは、整数）ラインを順次、３個スキャニングした後、第２ｋラインを順次、３個スキャニングすることを反復し、
前記液晶パネルは、前記３個のゲートラインがスキャニングされる度に前記ゲート電極の極性を反転させることを特徴とする請求項３に記載の液晶パネル。
【請求項５】
前記ゲートラインシフト回路は、クロック信号及び反転クロック信号に同期して動作する６個単位で構成された複数個のゲートラインスイッチブロックで構成され、前記各ゲートラインスイッチは、対応するゲートラインに連結され、
第１スイッチブロックの第１ゲートラインスイッチは、外部から入力されたゲートラインオン信号によって制御され、次のスイッチブロックの第１ゲートラインスイッチは、前のスイッチブロックの最後のゲートラインの信号によって制御されることを特徴とする請求項４に記載の液晶パネル。
【請求項６】
前記各スイッチブロックは、第１ゲートラインに対応する第１スイッチ、第２ゲートラインに対応する第２スイッチ、第３ゲートラインに対応する第３スイッチ、第４ゲートラインに対応する第４スイッチ、第５ゲートラインに対応する第５スイッチ、第６ゲートラインに対応する第６スイッチを含み、
前記第１スイッチは、前記クロック信号及び前記ゲートラインオン信号または前のスイッチブロックの最後のスイッチの出力信号に応答してターンオンされ、前記第３スイッチの出力信号に応答してターンオフされ、
前記第２スイッチは、前記反転クロック信号及び前記第５スイッチの出力信号に応答してターンオンされ、前記第４スイッチの出力信号に応答してターンオフされ、
前記第３スイッチは、前記反転クロック信号及び前記第１スイッチの出力信号に応答してターンオンされ、前記第５スイッチの出力信号に応答してターンオフされ、
前記第４スイッチは、前記クロック信号及び前記第２スイッチの出力信号に応答してターンオンされ、前記第６スイッチの出力信号に応答してターンオフされ、
前記第５スイッチは、前記クロック信号及び前記第３スイッチの出力信号に応答してターンオンされ、前記第２スイッチの出力信号に応答してターンオフされ、
前記第６スイッチは、前記反転クロック信号及び前記第４スイッチの出力信号に応答してターンオンされ、次のスイッチブロックの第１スイッチの出力信号に応答してターンオフされることを特徴とする請求項５に記載の液晶パネル。
【請求項７】
前記ゲートラインシフト回路は、前記各スイッチブロック内にある６個のゲートラインを前記第１ゲートライン、前記第３ゲートライン、前記第５ゲートライン、前記第２ゲートライン、前記第４ゲートライン及び前記第６ゲートラインの順序のインターリービング方式でスキャニングすることを特徴とする請求項６に記載の液晶パネル。
【請求項８】
前記反転クロック信号は、前記クロック信号の反転信号であることを特徴とする請求項５に記載の液晶パネル。
【請求項９】
ゲートドライバが内蔵された液晶パネルでゲートラインのスキャン順序を指定するゲートラインシフト回路において、
非隣接ラインのブロックを具現するオーバーラッピングブロック的な形態に前記液晶パネルのゲートラインをスキャニングするように構成されることを特徴とするゲートラインシフト回路。
【請求項１０】
前記ゲートラインシフト回路は、
前記液晶パネル外部のタイミング制御部から入力されるゲートラインオン信号に応答して、前記液晶パネルのゲートラインを所定のｋライン間隔で所定のｎ個のゲートライン単位のインターリービング方式で順次スキャニングするように、前記液晶パネルのゲートラインのスキャン順序を設定するように構成されることを特徴とする請求項９に記載のゲートラインシフト回路。
【請求項１１】
前記ゲートラインシフト回路は、前記液晶パネルのゲートラインをｋライン間隔でｎラインずつ順次スキャニングし、前記ｎラインのスキャンが完了すれば、前記スキャニングが完了したゲートラインの隣接するラインから前記ｋライン間隔で次のｎ個のラインをスキャニングし、
ｋ＊ｎ個のゲートラインブロックのスキャニングが完了すれば、隣接する前記ｋ＊ｎ個のゲートラインブロックのスキャニングを反復して１フレームのスキャニングを完了することを特徴とする請求項１０に記載のゲートラインシフト回路。
【請求項１２】
前記ｎは、３であり、前記ｋは、２であり、
前記ゲートラインシフト回路は、第２ｋ＋１（ｋは、整数）ラインを順次３個スキャニングした後、第２ｋラインを順次３個スキャニングすることを反復するように構成されることを特徴とする請求項１１に記載のゲートラインシフト回路。
【請求項１３】
前記ゲートラインシフト回路は、クロック信号及び反転クロック信号に同期して動作する６個の単位で構成された複数個のゲートラインスイッチブロックで構成され、前記各ゲートラインスイッチは、対応するゲートラインに連結され、
第１スイッチブロックの第１ゲートラインスイッチは、外部から入力されたゲートラインオン信号によって制御され、次のスイッチブロックの第１ゲートラインスイッチは、前のスイッチブロックの最後のゲートラインの信号によって制御されるように構成されることを特徴とする請求項１２に記載のゲートラインシフト回路。
【請求項１４】
前記各スイッチブロックは、第１ゲートラインに対応する第１スイッチ、第２ゲートラインに対応する第２スイッチ、第３ゲートラインに対応する第３スイッチ、第４ゲートラインに対応する第４スイッチ、第５ゲートラインに対応する第５スイッチ、第６ゲートラインに対応する第６スイッチを含み、
前記第１スイッチは、前記クロック信号及び前記ゲートラインオン信号または前のスイッチブロックの最後のスイッチの出力信号に応答してターンオンされ、前記第３スイッチの出力信号に応答してターンオフされ、
前記第２スイッチは、前記反転クロック信号及び前記第５スイッチの出力信号に応答してターンオンされ、前記第４スイッチの出力信号に応答してターンオフされ、
前記第３スイッチは、前記反転クロック信号及び前記第１スイッチの出力信号に応答してターンオンされ、前記第５スイッチの出力信号に応答してターンオフされ、
前記第４スイッチは、前記クロック信号及び前記第２スイッチの出力信号に応答してターンオンされ、前記第６スイッチの出力信号に応答してターンオフされ、
前記第５スイッチは、前記クロック信号及び前記第３スイッチの出力信号に応答してターンオンされ、前記第２スイッチの出力信号に応答してターンオフされ、
前記第６スイッチは、前記反転クロック信号及び前記第４スイッチの出力信号に応答してターンオンされ、次のスイッチブロックの第１スイッチの出力信号に応答してターンオフされることを特徴とする請求項１３に記載のゲートラインシフト回路。
【請求項１５】
前記ゲートラインシフト回路は、前記各スイッチブロック内にある６個のゲートラインを前記第１ゲートライン、前記第３ゲートライン、前記第５ゲートライン、前記第２ゲートライン、前記第４ゲートライン及び前記第６ゲートラインの順序のインターリービング方式でスキャニングするように構成されることを特徴とする請求項１４に記載のゲートラインシフト回路。
【請求項１６】
前記反転クロック信号は、前記クロック信号の反転信号であることを特徴とする請求項１３に記載のゲートラインシフト回路。
【請求項１７】
複数のゲートラインと複数のデータラインとが交差する領域に形成された複数の画素と、
前記液晶パネルの外部のタイミング制御部から入力されるゲートラインオン信号に応答して、前記液晶パネルのゲートラインを所定のｋライン間隔で所定のｎ個のゲートライン単位のインターリービング方式で順次スキャニングするように、前記液晶パネルのゲートラインのスキャン順序を設定するゲートラインシフト回路を含む液晶パネルと、
グラフィックソースから画像データを受信し、前記画像データのスキャニング順序を所定のｋライン間隔で所定のｎ個のライン単位で再整列させ、前記所定のｋライン間隔で所定のｎ個のゲートライン単位で順次スキャニングするためのゲートラインオン信号を出力し、前記ｎライン周期で印加される反転制御信号を生成するタイミング制御部と、
前記タイミング制御部から入力される前記画像データによって、前記液晶パネルの各画素に印加するための階調電圧を選択して前記液晶パネルに出力させるソース駆動部と、
前記ソース駆動部に必要な階調電圧を生成して出力させ、前記反転制御信号に応答して前記液晶パネルの各画素に印加される共通電圧の極性を反転させる電圧発生部と
を含み、
前記液晶パネルは、前記ソース駆動部から出力されたソースデータを前記ゲートラインシフト回路で設定された前記インターリービング方式のゲートラインスキャン順序にデータをディスプレイすることを特徴とする液晶表示装置。
【請求項１８】
前記液晶表示装置は、
メモリアドレスを前記ｋライン間隔で前記ｎ個の単位で反復して再整列させるアドレス変更部をさらに備えることを特徴とする請求項１７に記載の液晶表示装置。
【請求項１９】
前記ゲートラインシフト回路は、前記液晶パネルのゲートラインをｋライン間隔でｎラインずつ順次スキャニングし、前記ｎラインのスキャンが完了すれば、前記スキャニングが完了したゲートラインの隣接するラインからｋライン間隔で次のｎ個のラインをスキャニングし、
ｋ＊ｎ個のゲートラインブロックのスキャニングが完了すれば、隣接する前記ｋ＊ｎ個のゲートラインブロックのスキャニングを反復して１フレームのスキャニングを完了することを特徴とする請求項１７に記載の液晶表示装置。
【請求項２０】
前記反転制御信号は、前記液晶パネルの前記ｎ個のゲートラインのスキャニングが完了する度に極性が反転されることを特徴とする請求項１７に記載の液晶表示装置。
【請求項２１】
前記ゲートラインシフト回路は、クロック信号及び反転クロック信号に同期して動作する６個の単位で構成された複数個のゲートラインスイッチブロックで構成され、前記各ゲートラインスイッチは、対応するゲートラインに連結され、
第１スイッチブロックの第１ゲートラインスイッチは、外部から入力されたゲートラインオン信号によって制御され、次のスイッチブロックの第１ゲートラインスイッチは、前のスイッチブロックの最後のゲートラインの信号によって制御され、
前記各スイッチブロックは、第１ゲートラインに対応する第１スイッチ、第２ゲートラインに対応する第２スイッチ、第３ゲートラインに対応する第３スイッチ、第４ゲートラインに対応する第４スイッチ、第５ゲートラインに対応する第５スイッチ、第６ゲートラインに対応する第６スイッチを含み、
前記第１スイッチは、前記クロック信号及び前記ゲートラインオン信号または前のスイッチブロックの最後のスイッチの出力信号に応答してターンオンされ、前記第３スイッチの出力信号に応答してターンオフされ、 
前記第２スイッチは、前記反転クロック信号及び前記第５スイッチの出力信号に応答してターンオンされ、前記第４スイッチの出力信号に応答してターンオフされ、
前記第３スイッチは、前記反転クロック信号及び前記第１スイッチの出力信号に応答してターンオンされ、前記第５スイッチの出力信号に応答してターンオフされ、
前記第４スイッチは、前記クロック信号及び前記第２スイッチの出力信号に応答してターンオンされ、前記第６スイッチの出力信号に応答してターンオフされ、
前記第５スイッチは、前記クロック信号及び前記第３スイッチの出力信号に応答してターンオンされ、前記第２スイッチの出力信号に応答してターンオフされ、
前記第６スイッチは、前記反転クロック信号及び前記第４スイッチの出力信号に応答してターンオンされ、次のスイッチブロックの第１スイッチの出力信号に応答してターンオフされることを特徴とする請求項１７に記載の液晶表示装置。
【発明の詳細な説明】
【技術分野】
【０００１】
本発明は、液晶表示装置に係り、具体的には、液晶表示装置のゲートラインを所定ライン単位で駆動するように制御する駆動ドライバ及びタイミングコントローラと液晶表示装置との駆動方法に関する。
【背景技術】
【０００２】
一般的に、液晶表示装置（Ｌｉｑｕｉｄ Ｃｒｙｓｔａｌ Ｄｅｖｉｃｅ、以下、ＬＣＤ）は、二枚の基板の間に注入されている異方性誘電率を有する物質に電圧の強度が調節された電界を印加して、基板に透過される光量を調節することによって、所望の画像信号を得る表示装置である。このようなＬＣＤは、ゲート選択信号を伝達する複数のスキャンラインと色相データ、すなわち、画像データを伝達する複数のデータラインとが交差して形成され、これらスキャンラインとデータラインとによって取り囲まれたそれぞれのスキャンラインとデータライン及びスイッチング素子を通じて連結される行列形態の複数の画素を含む。
【０００３】
このようなＬＣＤ装置の各画素に画像データを印加する方法は、まず、ゲートラインに順次、オン／オフ信号を印加して、このゲートライン（スキャンライン）に連結されたスイッチング素子を順次ターンオン／オフさせ、これと同時にゲートラインに対応する画素行に印加する画像信号を複数個の電圧に区分される階調電圧に転換させてそれぞれのデータラインに印加する。このとき、１フレーム周期に全てのスキャンラインに順次、ゲート信号を印加して、全ての画素行に画素信号を印加することによって、１フレームの画像を表示する。
【０００４】
液晶物質は、物質自体の特性によって、持続的に同一方向の電界を印加すれば、表示装置としての特徴が劣化するという問題点を有している。したがって、共通電圧についての階調電圧の極性を反転させて駆動する必要がある。すなわち、何れか一つの画素の印加電圧の極性が正（＋）極性の信号電圧を受けたら、一定フレームでは、負（−）極性の信号電圧を受けなければならない。結果的に、特定画素の印加電圧の極性は、正極性と負極性とを反復する形態でなされねばならない。
【０００５】
このような理由によって、ＬＣＤを反転駆動する方法であって、１フレーム単位で極性を反転させるフレーム反転方法、ゲートライン単位で各ラインをスキャンする度に極性を反転させるライン反転、及び画素単位で極性を反転させるドット反転のような駆動方法がある。
【０００６】
一方、ドット反転駆動法を利用するＬＣＤでは、ウィンドウ終了などの中間階調画面をディスプレイする時には、画面振れ現象が甚だしく現れるという問題点がある。それだけでなく、ドット反転駆動法は、大きい振幅でデータラインを駆動せねばならないため、電力消耗が過度に大きくて携帯用端末機などのＬＣＤとしてはあまり使われていない。
【０００７】
図１Ａは、フレーム反転方式のゲートライン駆動を示す図面である。
図１Ａを参照すれば、１フレーム単位で極性を反転させるフレーム反転方式を示している。第Ｎフレームでは、ゲートラインの極性を正極性（＋）の共通電圧を印加して、全てのゲートラインを順次スキャニングして１フレームの画像データを出力させ、第Ｎ＋１フレームでは、ゲートラインの極性を反転させて負極性（−）の共通電圧を印加して、全てのゲートラインを順次スキャニングする。もし、フレームを１秒に６０フレーム単位でスキャンする場合、ＬＣＤの極性反転は、１／６０秒に１回ずつ行われる。
【０００８】
ＬＣＤ駆動で、消費電力は、共通電圧Ｖｃｏｍの極性が変わる時に主に発生するため、反転回数の少ないフレーム反転駆動方法は、他の反転駆動方法に比べて消費電力が少なくなる。しかし、全体のゲートラインの極性が変わるため、１フレーム内で全ての画素の充電極性が同一になって、二つのフレーム間の液晶透過率の差が容易に認知されて、画面のちらつくフリッカが発生するという問題がある。したがって、フレーム反転駆動方法は、あまり使われていない。
【０００９】
図１Ｂは、ライン反転方式のゲートライン駆動を示す図面である。
図１Ｂを参照すれば、第Ｎフレームをスキャンする場合、一つのゲートラインをスキャンする度に共通電圧の極性を反転させてラインをスキャンさせる。例えば、奇数番目のラインには、正極性データをスキャンすれば、偶数番目のラインでは、負極性のデータをスキャンする。そして、第Ｎ＋１フレームをスキャンする場合、再び奇数番目のラインと偶数番目のラインとの極性を反転させて、液晶物質の劣化を防止する。また、１ライン単位で共通電圧の極性を反転させるため、フリッカが発生する問題が解消される。
【００１０】
しかし、ライン反転方式では、各ラインをスキャンする度に極性を反転させねばならないため、消費電力が多いという問題点を有している。特に、携帯用端末機のように、電力消費が重要視される携帯装置での使用時、ライン反転方式のＬＣＤは、大きい短所となる。例えば、ＬＣＤのゲートラインが４８０個が存在すれば、１／（６０＊４８０）秒単位で極性を反転させねばならないため、電力消耗が大きい。
【００１１】
図１Ｃは、ｎライン反転方式のゲートライン駆動を示す図面である。
図１Ｃを参照すれば、ｎ個のゲートラインをスキャンした後に極性を反転させ、再びｎ個のゲートラインをスキャンし、このような方式で一つのフレームを全部スキャンした後、第ｎフレームと逆になる極性を有する共通電圧を印加する。ｎライン単位で同じ極性でスキャンした後、極性を反転させれば、ライン反転に比べて、ｎ倍以上の消費電力の減少効果が得られる。すなわち、３ライン単位で極性を反転させる場合、３／（６０＊４８０）秒単位で極性が反転される。
しかし、ｎライン反転駆動方式は、隣接するｎ個のラインずつ極性が変わるため、フリッカの問題が発生するという問題点がある。
【００１２】
図２は、各駆動方式による消費電力を示すグラフである。
図２を参照すれば、フレーム単位の極性反転方式は、１.３５ｍＡの小さい電流を消費する。しかし、ライン反転方式では、１.８５ｍＡの比較的大きい電流を消費する。一方、２ライン反転方式の駆動方法は、ライン反転及びフレーム反転方式の中間程度である１.６０ｍＡの電流を消費することが分かる。一方、３ライン反転方式で１.４７ｍＡの電流消費があって、２ライン以上の極性反転方式を使用する場合、ライン反転に比べて大きい電流消費の減少があることが分かる。しかし、２ライン以上のライン反転ゲートライン駆動方法は、隣接する幾つかのラインが同じ極性からなるため、フリッカの問題がもたらされる。
【発明の開示】
【発明が解決しようとする課題】
【００１３】
本発明が解決しようとする技術的課題は、消費電力を減少させると同時に、ディスプレイ画像のフリッカを発生させないゲートライン駆動方法及びＬＣＤを提供することである。
【課題を解決するための手段】
【００１４】
前記課題を達成するために、本発明の特徴によれば、ゲートドライバが内蔵された液晶パネルが、複数のゲートラインと複数のデータラインとが交差する領域に形成された複数の画素、及び前記液晶パネルの外部のタイミング制御部から入力されるゲートラインオン信号に応答して、前記液晶パネルのゲートラインを所定のｋライン間隔で所定のｎ個のゲートライン単位のインターリービング方式で順次スキャニングするように、前記液晶パネルのゲートラインのスキャン順序を設定するゲートラインシフト回路を備え、前記液晶パネルは、外部のソースドライバから出力されたソースデータを、前記ゲートラインシフト回路で設定された前記インターリービング方式のゲートラインスキャン順序にデータをディスプレイする。
【００１５】
望ましくは、前記液晶パネルは、前記液晶パネルが前記ｎ個のゲートラインのスキャニングが完了する度にゲート電極の極性を反転させることを特徴とする。
さらに望ましくは、前記ｎは、３であり、前記ｋは、２であり、前記ゲートラインシフト回路は、第２ｋ＋１（ｋは、整数）ラインを順次、３個スキャニングした後、第２ｋラインを順次、３個スキャニングすることを反復し、前記液晶パネルは、前記３個のゲートラインがスキャニングされる度に前記ゲート電極の極性を反転する。
【００１６】
本発明の一実施形態で、前記ゲートラインシフト回路は、クロック信号及び反転クロック信号に同期して動作する６個の単位で構成された複数個のゲートラインスイッチブロックで構成され、前記各ゲートラインスイッチは、対応するゲートラインに連結され、第１スイッチブロックの第１ゲートラインスイッチは、外部から入力されたゲートラインオン信号によって制御され、次のスイッチブロックの第１ゲートラインスイッチは、前のスイッチブロックの最後のゲートラインの信号によって制御される。
【００１７】
望ましくは、前記各スイッチブロックは、第１ゲートラインに対応する第１スイッチ、第２ゲートラインに対応する第２スイッチ、第３ゲートラインに対応する第３スイッチ、第４ゲートラインに対応する第４スイッチ、第５ゲートラインに対応する第５スイッチ、第６ゲートラインに対応する第６スイッチを含み、前記第１スイッチは、前記クロック信号及び前記ゲートラインオン信号または前のスイッチブロックの最後のスイッチの出力信号に応答してターンオンされ、前記第３スイッチの出力信号に応答してターンオフされ、前記第２スイッチは、前記反転クロック信号及び前記第５スイッチの出力信号に応答してターンオンされ、前記第４スイッチの出力信号に応答してターンオフされ、前記第３スイッチは、前記反転クロック信号及び前記第１スイッチの出力信号に応答してターンオンされ、前記第５スイッチの出力信号に応答してターンオフされ、前記第４スイッチは、前記クロック信号及び前記第２スイッチの出力信号に応答してターンオンされ、前記第６スイッチの出力信号に応答してターンオフされ、前記第５スイッチは、前記クロック信号及び前記第３スイッチの出力信号に応答してターンオンされ、前記第２スイッチの出力信号に応答してターンオフされ、前記第６スイッチは、前記反転クロック信号及び前記第４スイッチの出力信号に応答してターンオンされ、次のスイッチブロックの第１スイッチの出力信号に応答してターンオフされる。
【発明の効果】
【００１８】
本発明によるＬＣＤによれば、共通電極が、１ラインごとに反転されることをＮラインごとに変換して消費電流を減らし、非常に小さなサイズのメモリを挿入して毎ラインのデータをそのメモリにラッチしてｋライン間隔のインターレース方式でスキャニングするため、１ライン極性の効果を得て、電力消費の減少と同時にフリッカ現象などの画質低下を防止できる。
【発明を実施するための最良の形態】
【００１９】
本発明と本発明の動作性の利点及び本発明の実施によって達成される目的を十分に理解するためには、本発明の望ましい実施形態を例示する添付図面及び添付図面に記載された内容を参照せねばならない。
以下、添付された図面を参照して、本発明の望ましい実施形態を説明することによって、本発明を詳細に説明する。各図面に提示された同じ参照符号は、同じ部材を表す。
【００２０】
図３は、本発明によるＬＣＤと周辺回路とを示すブロック図である。
図３を参照すれば、ＬＣＤ ３００は、外部のグラフィックプロセッサ３５０からＲＧＢインターフェース３５６を通じて画像データを入力される。グラフィックプロセッサ３５０は、ＣＰＵ ３５４及びカメラなどの周辺装置３５２からデータを入力されてＬＣＤの解像度に対応する画像データを発生させる。
【００２１】
ＬＣＤ ３００は、駆動ドライバ３０２とＬＣＤパネル３０４とを含み、駆動ドライバ３０２は、データライン駆動部３０６、ゲートライン駆動部３０８、タイミングコントローラ３１０、駆動電圧発生部３１２及び階調電圧発生部３１４を含む。
ＬＣＤパネル３０４は、二つの基板（例えば、ＴＦＴ基板やカラーフィルタ基板）からなり、一つの基板に複数のソースラインと複数のゲートラインとが交互に形成され、一つのゲートラインと一つのソースラインとが交差するそれぞれの領域に画素が形成されている。
【００２２】
タイミング制御部３１０は、グラフィックプロセッサ３５０からＲ（Ｒｅｄ）、Ｇ（Ｇｒｅｅｎ）、Ｂ（Ｂｌｕｅ）データ信号、フレーム区別信号である垂直同期信号Ｖｓｙｎｃ、行区別信号である水平同期信号Ｈｓｙｎｃ及びメインクロック信号Ｃｌｋを提供されて、ゲートライン駆動部３０８、データライン駆動部３０６及び駆動電圧発生部３１２を駆動するためのデジタル信号をそれぞれ出力する。
【００２３】
また、タイミング制御部３１０は、ゲートライン駆動部３０８に、ゲートオン電圧をそれぞれのゲートラインに印加するためのゲートクロック信号、及びゲートライン駆動部３０８の出力をイネーブルさせるゲートオンイネーブル信号を出力する。
このとき、タイミング制御部３１０は、ゲートライン駆動部３０８でのスキャニング順序を既存の順次のスキャン順序から、所定のライン（以下、‘ｋライン’という）間隔で他の所定数（以下、‘ｎ個’という）のゲートラインずつ順次にスキャニングさせるスキャニング順序に変更して、ゲートクロック信号を印加する。
【００２４】
すなわち、タイミング制御部３１０のゲートラインアドレスをｎ＊ｋ個に分割した後、ゲートラインのスキャニングを隣接するラインを順次、伝送せず、ｋライン間隔でｎ個単位のゲートラインずつ再調整して出力する。すなわち、１フレームに４８０個のゲートラインが存在し、３ライン間隔で５個単位のゲートラインずつ調整してスキャニングする場合、１，２，３，４，５，６，７，８，９，．．．４７８，４７９，４８０のゲートラインスキャニング順序は、１，４，７，１０，１３，２，５，８，１１，１４，３，６，９，１２，１５，．．．．．，４７７，４８０のゲートラインスキャニング順序に再調整されてゲートライン駆動部３０８に出力される。
【００２５】
また、駆動電圧発生部３１２は、タイミング制御部３１０からｎライン単位でゲートラインがスキャニングされる度に、電極の極性を反転させて共通電圧を発生させる極性反転信号ＰＩＣＳを受信する。すなわち、駆動電圧発生部３１２は、タイミング制御部３１０から出力された極性反転信号に応答して、ゲートラインがｎ個スキャニングされる時、極性が正（＋）極性である電圧をそれぞれスキャニングされるラインに印加させ、次のｎ個のラインがスキャニングされる時には、極性を反転させて負（−）極性である電圧をスキャニングされるラインに印加させる。
【００２６】
また、タイミング制御部３１０は、入力された画像データ信号を既存の所定のライン（以下、‘ｋライン’という）間隔で他の所定数（以下、‘ｎ個’という）のデータラインずつ順次、再整列してデータライン駆動部３０６に出力する。１フレームでデータライン駆動部３０６がＬＣＤパネル３０４に画像データラインを出力する回数は、ゲートラインの数に対応する。したがって、もし、ゲートラインが全部で４８０個が存在し、前記タイミング制御部３１０がゲートライン駆動部３０８で前述した３ライン間隔で５個単位のラインずつ駆動するように制御すれば、タイミング制御部３１０内のメモリ３１６内に保存された画像データのアドレスを３ライン間隔で５個単位のアドレスを再調整して、１，４，７，１０，１３，２，５，８，１１，１４，３，６，９，１２，１５，．．．．，４８０の順にゲートラインスキャニング順序に合わせて再調整してデータライン駆動部３０６に出力する。
【００２７】
データライン駆動部３０６は、ソース駆動部とも呼ばれ、複数個のデータラインドライバを備え、ＬＣＤパネル３０４内の各画素に伝達される画像データを所定の電圧値に変更して１ラインずつ出力する役割を行う。さらに詳細に説明すれば、データライン駆動部３０６は、タイミング制御部３１０から出力されるデジタルデータをデータライン駆動部３０６内のデータラッチ部に保存する。そして、画像データをＬＣＤパネル３０４上にディスプレイすることを命令する信号に応答して、各データに対応する電圧を選択してＬＣＤパネル３０４に伝達する役割を行う。
【００２８】
したがって、データライン駆動部３０６は、タイミング制御部３１０から出力される画像データの順にＬＣＤパネル３０４に伝達するため、画像データは、実質的にｋライン間隔でｎラインずつ画像データが出力される。
ゲートライン駆動部３０８は、スキャンライン駆動部とも呼ばれ、複数個のゲートドライバを備え、データライン駆動部３０６から印加される画像データが画素に伝達されるようにゲートを制御する役割を行う。ＬＣＤパネル３０４の各画素は、スイッチの役割を行うトランジスタによってオン／オフになるが、前記トランジスタのオン／オフは、ゲートに一定電圧Ｖｏｎ，Ｖｏｆｆが印加されることによって行われる。
【００２９】
ゲートライン駆動部３０８は、タイミング制御部３１０から出力されるゲートオンイネーブル信号を入力されて、入力されるラインの順序によってゲートオン電圧をゲートラインに順次、印加する。したがって、実質的にゲートラインは、ｋライン間隔でｎラインずつゲートオンされる。
階調電圧発生部３１４は、グラフィックプロセッサ３５０から提供されるＲＧＢデータのビット数によって等分された階調電圧を発生させてデータライン駆動部３０６に提供する。
【００３０】
駆動電圧発生部３１２は、ＬＣＤパネル３０４の各画素のゲートをオンにするゲートオン電圧Ｖｏｎと、ゲートをオフにするゲートオフ電圧Ｖｏｆｆを発生させてゲートライン駆動部３０８に提供し、各画素のトランジスタのデータ電圧差の基準となる共通電圧Ｖｃｏｍも生成して各画素の共通電極として提供する。
また、駆動電圧発生部３１２は、タイミング制御部３１０から出力される極性反転制御信号ＰＩＣＳに応答して共通電圧の極性を反転させる。
【００３１】
このような構造の本発明によるＬＣＤは、ｎライン単位で共通電極の極性が反転されるため、ライン単位の極性反転に比べて、消費電力が大きく減少できる。また、ｋライン間隔でスキャニングされるため、輝度差によって発生するフリッカは、ライン反転程度に減少させることができる。
【００３２】
図４は、本発明によるタイミング制御部を示すブロック図である。
図４を参照すれば、タイミング制御部３１０は、グラフィックプロセッサから入力された画像データの出力順序、すなわち、アドレスを生成するメモリスキャンアドレス生成器４０２とゲートラインドライバのゲートオン順序を決定するライン順次生成器４０４、画像データの出力順序を再整列するアドレス変更回路４０６、ゲートドライバのライン順序を再整列させるライン順序変更部４０８及び変更されたアドレスが保存されるメモリ３１６を含む。
【００３３】
メモリスキャンアドレス生成器４０２は、グラフィックプロセッサから入力される画像データをメモリに保存するためのアドレスを生成する。そして、前記メモリスキャンアドレス生成器４０２で、アドレスは、アドレス変更部４０６を通じてｋライン間隔でｎ個単位で再整列されてタイミング制御部３１０のメモリ３１６に保存される。したがって、メモリ３１６には、変更されたデータ出力順序によって画像データが保存され、この順序によって、データライン駆動部３０６を通じてデータが順次、出力される。
【００３４】
ライン順序変更部４０８は、ゲートドライバライン順序生成器４０４から生成されたゲートラインオン順序を、ｋライン間隔でｎ個単位で再整列してゲートライン駆動部３０８に出力する。
このとき、アドレス変更部４０６とライン順序変更部４０８とは、タイミング制御部３１０に内在されることもあり、タイミング制御部３１０の外部に別途に生成されることもある。
【００３５】
図５は、本発明のアドレス変更部によって変更されたアドレスを示す図面である。
アドレス変更部４０６は、メモリスキャンアドレス生成器４０２から出力されたアドレスを受信し、このアドレスを本発明によるインターレース方式で再調整して変更されたアドレスを出力する機能を行う。
【００３６】
既存の画像データ出力方式は、アドレス変更部がないため、メモリスキャンアドレスは順次、生成され、したがって、画像データもメモリに順次、保存された。
図５を参照すれば、図５は、２ライン間隔で３個ライン単位で再整列されたアドレスを示す図面である。図４のメモリスキャンアドレス生成器４０２によって生成された最初のアドレスは、１からＮまで順次、生成される。このようなアドレスは、図４のアドレス変更部４０６を通じてｋライン間隔でｎ個単位で再整列されてタイミング制御部３１０のメモリ３１６に保存され、変更されたアドレス、すなわち、変更されたデータ出力順序によって画像データが保存される。
【００３７】
図６は、図５によって変更されたアドレスによるＮライン方式のゲートライン駆動を示す図面である。
第１データライン駆動部に第１ライン１の画像データが出力され、これと同時に、第１ラインのゲートがターンオンされる。そして、２ライン間隔でスキャニングされるので、第３ライン３の画像データがライン駆動部から出力され、ゲートライン駆動部では、第３ラインのゲートをターンオンさせる。次いで、第５ライン５の画像データがライン駆動部から出力され、ゲートライン駆動部では、第５ラインのゲートをターンオンさせる。このように、３個のラインがスキャニングされた後、反転制御信号によって画素の共通電極に印加される電圧の極性が反転される。
【００３８】
次いで、データライン駆動部で第２ライン２の画像データが出力され、これと同時に第２ラインのゲートがターンオンされる。次いで、第４ライン４の画像データがライン駆動部から出力され、ゲートライン駆動部で第４ラインのゲートをターンオンさせる。次いで、第６ライン６の画像データがライン駆動部から出力され、ゲートライン駆動部では、第６ラインのゲートをターンオンさせる。また、このように、３個のラインがスキャニングされれば、反転制御信号によって共通電圧の極性が反転される。
【００３９】
そして、再び７ライン、９ライン、１１ラインのデータが順次、ディスプレイされ、共通電圧の極性が反転された後に、再び８ライン、１０ライン、１２ラインのデータが順次、ディスプレイされ、極性が反転されることを反復する。
このような本発明によるＮライン単位の極性反転方式は、Ｎラインのスキャンごとに電極の極性が反転されるため、ライン反転に比べて（図２参照）、電流消費が大きく減少する。例えば、図６に示したような３ライン単位で極性が反転される場合、１.４７ｍＡの小さい電流のみが消費される。
【００４０】
また、本発明によるＮライン単位の極性反転方式は、ｋライン間隔でスキャニングするため、隣接する幾つのラインが連続的にスキャニングされず、画面がちらつくフリッカの問題も発生しない。すなわち、共通電極が１ラインごとに反転されることをＮラインごとに変換して消費電流を減らし、ｋライン間隔のインターレース方式でスキャニングするため、１ライン極性の効果を得てフリッカ現象などの画質低下を防止する効果がある。
本発明によるＬＣＤは、ＣＰＵから直接画像を入力される場合にも使われ、また、グラフィックソースでＲＧＢインターフェースを通じて画像データを入力される場合にも使われる。
【００４１】
図７は、本発明の一実施形態による画像データの保存順序を示す図面である。
図７を参照すれば、ＣＰＵで１フレーム単位で出力される画像データの保存順序を示すものである。
図３及び図７を参照して、図３のＣＰＵ ３５４で生成される画像データは、ＣＰＵ ３５４内のメモリに１フレーム単位で保存される。ＣＰＵで順次、出力されたデータは、２ライン間隔で３個ライン単位で再整列されたメモリアドレスによって、１，３，５，３，４，６，７，９，１１，８，１０，１２，．．．．の順序にＬＣＤのメモリ３１６に再び保存される。そして、このように保存された順序によってデータライン駆動部に伝えられ、液晶パネルに出力される。一方、共通電圧Ｖｃｏｍは、３個ラインが出力される度に極性が反転される。
【００４２】
一方、ＬＣＤのメモリ３１６には、ＣＰＵから出力される画像データがアドレスが変更されず、出力順序によって順次、保存された後、液晶パネルにディスプレイさせる時に変更されたアドレスによって、メモリに保存された画像データの判読順序を変更して液晶パネルにディスプレイすることもある。
【００４３】
図８は、本発明の他の実施形態による画像データの保存順序を示す図面である。
図３及び図８を参照すれば、１フレームのデータを全部保存せず、グラフィックソースからＲＧＢインターフェースを通じて１ラインずつ順次、出力する画像データの保存順序を示すものである。グラフィックソースから出力されるデータは、２ライン間隔の３個ライン単位の画像の１ブロック全体、すなわち、６個ラインの画像データが保存される小さなサイズのメモリ３１６にグラフィックソースから６個ラインずつ保存する。
【００４４】
すなわち、グラフィックソースから１ないし６ラインのデータが出力されれば、これをメモリの１ないし６ラインアドレスによって順次、保存した後、２ライン間隔の３個ラインに再整列されたアドレスによって液晶パネルに出力される。このように、６ラインの画像データが全て出力されれば、次の７ないし１２ラインのデータがグラフィックソースから出力されてメモリの１ないし６ラインアドレスに保存される。そして、再び１，３，５，２，４，６のアドレスに再整列されて液晶パネルに出力される。すなわち、このとき、実際出力される画像データは、グラフィックソースから出力された７，９，１１，８，１０，１２ライン順序の画像データである。
【００４５】
一方、グラフィックプロセッサから順次、出力されたデータをＬＣＤのラッチ（メモリ）に保存する時、変更されたアドレスによって変更された出力順序に保存することができる。この場合には、ラッチに保存された順序によって順次、液晶パネルにディスプレイされる。
【００４６】
このようなＲＧＢインターフェース出力方式では、１フレームのデータを全て一度に再整列できず、６ライン画像データを受け、これを再整列された順序に出力されるため、３ラインほど遅延される。例えば、第５ラインの場合、グラフィックソースでは、五番目に出力されるが、実際にデータラインドライバでは、三番目に出力されるため、再整列されたデータは、３ラインほど遅延された後にデータを出力させる。一方、このときにも、共通電圧Ｖｃｏｍは、３個ラインが出力される度に極性が反転される。
このような方法を使用する場合、１フレームのデータが何れも保存されず、６ラインのデータのみ保存できる極小のメモリに画像データをラッチして不要なメモリのサイズを減らすことができる。
【００４７】
一方、現在販売されているＬＣＤパネル中では、ゲートドライバを制御できない種類のパネル（例えば、ＬＴＰＳまたはＡＳＧ）がありうる。このようなパネルの場合には、ゲートドライバなしにソースドライバのみでパネルを制御する。このような種類のパネルは、ゲートドライバが存在するパネルと違って、パネルのラインスキャニングの順序が所定方向に順次にのみ進められるため、パネルラインにインターバルをおいてスキャンできず、前述した実施形態と同じ方法を使用できない。
【００４８】
したがって、ゲート内蔵液晶パネルについては、パネル自体に順次のゲートスキャニングを、インターバルを有するゲートスキャニングに転換させるためのゲートラインシフト回路が内蔵されねばならない。すなわち、従来のゲート内蔵液晶パネルは、パネルに内蔵されたゲートラインシフト回路がゲートラインを順次、スキャンするように設計されたが、本発明によるゲート内蔵液晶パネルは、パネルに内蔵されたゲートラインシフト回路がゲートラインを所定のインターバルを有してスキャンするように設計される。
【００４９】
図９は、従来のゲートドライバ内蔵液晶パネルのゲートラインシフト回路を示す図面である。
図９を参照すれば、従来の液晶パネルのゲートラインシフト回路９００は、複数個のスイッチ９０１ないし９０８及び前記ゲートラインシフト回路９００のスキャンを同期させるためのクロック信号ＣＫ，ＣＫＢが連結されたライン対を含む。
【００５０】
クロック信号ＣＫは、第１スイッチ９０１、第３スイッチ９０３、第５スイッチ９０５に連結され、反転クロック信号ＣＫＢは、第２スイッチ９０２、第４スイッチ９０４、第６スイッチ９０６に連結されて、それぞれ交互に各スイッチに連結される。また、各フレームが液晶パネルにディスプレイされる時、各ゲートラインのスキャンを開始させるゲートラインオン信号ＳＴＶがタイミング制御部から出力されて第１スイッチ９０１に入力される。
【００５１】
また、ターンオンされた各スイッチから出力されるゲート信号は、前段のスイッチに連結されて前段のスイッチをターンオフさせ、次段のスイッチにも連結されて次段のスイッチをターンオンさせる機能を行う。
【００５２】
図１０は、図９の回路に示した各信号のタイミング図である。
図１０で、クロック信号ＣＫと反転クロック信号ＣＫＢとは、互いに反転された位相を有し、クロック信号が遷移する度に、ゲートラインが順次ターンオンされる。信号ＧＡＴＥ１は、第１スイッチを通じて出力される第１ゲートライン制御信号であり、信号ＧＡＴＥ２は、第２スイッチを通じて出力される第２ゲートライン制御信号であり、信号ＧＡＴＥ３は、第３スイッチを通じて出力される第３ゲートライン制御信号である。
【００５３】
図９及び図１０を参照して、従来のゲートドライバ内蔵液晶パネルの動作を説明すれば、クロック信号ＣＫがハイであれば（１００１）、第１スイッチ９０１がターンオンされて第１ゲート信号ＧＡＴＥ１がハイレベルに遷移され（１００２）、第１ゲートラインＧ１にデータがディスプレイされる。次いで、反転クロック信号ＣＫＢがハイレベルに遷移すれば（１００３）、第１ゲート信号ＧＡＴＥ１は、第２スイッチ９０２をターンオンさせて、第２ゲート信号ＧＡＴＥ２がハイレベルに遷移され（１００４）、これにより、第１スイッチ９０１はターンオフされる。それにより、第２ゲートラインＧ２にデータがディスプレイされる。次いで、再びクロック信号ＣＫがハイレベルに遷移すれば（１００５）、第２ゲート信号ＧＡＴＥ２は、第３スイッチ９０３をターンオンさせて、第３ゲート信号ＧＡＴＥ３がハイレベルに遷移され（１００６）、これにより、第２スイッチ９０２はターンオフされる。それにより、第３ゲートラインＧ３にデータがディスプレイされる。
したがって、図９に示したゲートドライバ内蔵液晶パネルを使用すれば、ゲートラインが順次、ターンオンされるため、本発明によるインターリービング方式のスキャニング方法を使用できなくなる。
【００５４】
図１１は、本発明によるゲートドライバ内蔵液晶パネルのゲートラインシフト回路を示す回路図である。
図１１を参照すれば、従来の液晶パネルのゲートラインシフト回路１１００は、複数個のスイッチ１１０１ないし１１０８及び前記ゲートラインシフト回路１１００のスキャンを同期させるためのクロック信号ＣＫ，ＣＫＢが連結されたライン対を含む。
【００５５】
このとき、クロック信号ＣＫ及び反転クロック信号ＣＫＢは、インターリービング方式によるスキャン順序に各スイッチに交互に連結される。図１１の実施形態では、２ライン間隔で３ラインずつスキャニングされるため、第１スイッチ１１０１にクロック信号ＣＫが連結され、第３スイッチ１１０３に反転クロック信号ＣＫＢが連結され、第５スイッチ１１０５にクロック信号ＣＫが連結され、第２スイッチ１１０２に反転クロック信号ＣＫＢが連結され、第４スイッチ１１０４にクロック信号ＣＫが連結され、第６スイッチ１１０６に反転クロック信号ＣＫＢが連結される。同様に、第７スイッチから第１２スイッチまでも、これと同じ方式でクロック信号及び反転クロック信号が連結される。また、各フレームが液晶パネルにディスプレイされる時、各ゲートラインのスキャンを開始させるゲートラインオン信号ＳＴＶがタイミング制御部から出力されて第１スイッチ１１０１に入力される。
【００５６】
また、ターンオンされた各スイッチから出力されるゲート信号は、前段のクロックにターンオンされたスイッチに連結されて前段のスイッチをターンオフさせ、次段のクロックにターンオンされるスイッチに連結されて次段のスイッチをターンオンさせる。
【００５７】
図１２は、図１１の回路に示した各信号のタイミング図である。
図１２で、クロック信号ＣＫと反転クロック信号ＣＫＢとは、図１０のように、互いに反転された位相を有し、クロック信号が遷移する度にゲートラインが順次、ターンオンされる。また、各ゲート信号ＧＡＴＥ１ないしＧＡＴＥ８は、各スイッチ１１０１ないし１１０８から液晶パネルのゲートラインに出力される信号であって、各ゲート信号がハイレベルである時に対応するゲートラインがターンオンされ、前記対応するゲートラインにソースデータがディスプレイされる。
【００５８】
図１１及び図１２を参照して、本発明によるゲートドライバ内蔵液晶パネルの動作を説明すれば、まず、クロック信号ＣＫがハイであれば、第１スイッチ１１０１がターンオンされて第１ゲートライン信号ＧＡＴＥ１がハイレベルになり、第１ゲートラインＧ１にデータがディスプレイされる。次いで、反転クロック信号ＣＫＢがハイレベルに遷移すれば、第１ゲート信号ＧＡＴＥ１に連結された第３スイッチ１１０３がターンオンされ、第１スイッチ１１０１はターンオフされる。そのとき、第３ゲート信号ＧＡＴＥ３がハイレベルになり、第３ゲートラインＧ３にデータがディスプレイされる。次いで、再びクロック信号ＣＫがハイレベルに遷移すれば、第３ゲート信号ＧＡＴＥ３に連結された第５スイッチ１１０５がターンオンされ、第３スイッチ１１０３はターンオフされる。そのとき、第５ゲート信号ＧＡＴＥ５がハイレベルになり、第５ゲートラインＧ５にデータがディスプレイされる。
【００５９】
次いで、反転クロック信号ＣＫＢがハイレベルに遷移すれば、第５ゲート信号ＧＡＴＥ５に連結された第２スイッチ１１０２がターンオンされ、第５スイッチ１１０５はターンオフされる。このとき、第２ゲート信号ＧＡＴＥ２がハイレベルになり、第２ゲートラインＧ２にデータがディスプレイされる。次いで、クロック信号ＣＫがハイレベルに遷移すれば、第２ゲート信号ＧＡＴＥ２に連結された第４スイッチ１１０４がターンオンされ、第２スイッチ１１０２はターンオフされる。このとき、第４ゲート信号ＧＡＴＥ４がハイレベルになり、第４ゲートラインＧ４にデータがディスプレイされる。次いで、反転クロック信号ＣＫＢがハイレベルに遷移すれば、第４ゲート信号ＧＡＴＥ４に連結された第６スイッチ１１０６がターンオンされ、第４スイッチ１１０４はターンオフされる。このとき、第６ゲート信号ＧＡＴＥ６がハイレベルになり、第６ゲートラインＧ６にデータがディスプレイされる。
【００６０】
次いで、再びクロック信号ＣＫがハイレベルになれば、第７ゲートラインＧ７から第１２ゲートラインＧ１２まで、前述したような方式でゲートラインが順次、ターンオンされる。
本発明によるゲートラインシフト回路１１００によってゲートラインがスキャニングされる順序は、図１１の右側のゲートラインの傍に四角状に表示されている。
【００６１】
一方、このときにも、共通電圧Ｖｃｏｍは、３個ラインが出力される度に極性が反転される。すなわち、第１ゲートライン、第３ゲートライン、第５ゲートラインの３個のゲートラインが順次、ターンオンされる時、共通電圧Ｖｃｏｍは、正極性を有し、第２ゲートライン、第４ゲートライン、第６ゲートラインの３個のゲートラインが順次、ターンオンされる時には、共通電圧は、負極性を有する。これは、次のゲートラインにも同じ方式で適用され、次のフレームがディスプレイされる時には、前のフレームと逆になる極性の共通電圧が印加されてディスプレイ装置の劣化を防止する。
したがって、図１１に示した本発明の一実施形態によるゲートラインシフト回路を利用すれば、ゲートドライバ内蔵液晶パネルの場合にも、インターリービング方式のゲートラインスキャニングが可能である。
【００６２】
図１１及び図１２では、２ライン間隔で３ラインずつ同じ極性の共通電圧を印加するインターリービング方式が開示されているが、一般的に、所定のｋライン間隔で所定のｎ個のライン単位で同じ極性の共通電圧を印加する方法の場合にも、液晶パネルのゲートラインシフト回路が前述した実施形態と類似した方式でｋライン間隔のｎ個ライン単位のインターリーブ順序でスキャンされるように設計されて具現することができる。
もちろん、このときの液晶パネルのソースドライバは、ソースデータをゲートドライバが別途に備えられる実施形態と同じ方式でスキャン順序を再整列してディスプレイする。
【００６３】
本発明は、図面に示した一実施形態を参考として説明したが、これは、例示的なものに過ぎず、当業者ならば、これから多様な変形及び均等な他の実施形態が可能であることが分かる。したがって、本発明の真の技術的保護範囲は、特許請求の範囲の技術的思想によって決定されねばならない。
【産業上の利用可能性】
【００６４】
本発明によるＬＣＤは、ゲートラインが含まれる携帯用ディスプレイ装置、例えば、携帯電話、ＰＤＡ、携帯用ゲーム機、ＰＭＰ及びＭＰ３プレーヤに利用されることができる。
【図面の簡単な説明】
【００６５】
【図１Ａ】従来の多様な液晶パネル反転方式のゲートライン駆動方法を示す図である。
【図１Ｂ】従来の多様な液晶パネル反転方式のゲートライン駆動方法を示す図である。
【図１Ｃ】従来の多様な液晶パネル反転方式のゲートライン駆動方法を示す図である。
【図２】各駆動方式による消費電力を示すグラフである。
【図３】本発明によるＬＣＤと周辺回路とを示すブロック図である。
【図４】本発明によるタイミング制御部を示すブロック図である。
【図５】本発明のアドレス変更部によって変更されたアドレスを示す図である。
【図６】図５によって変更されたアドレスによるＮライン方式のゲートライン駆動を示す図である。
【図７】本発明の一実施形態による画像データの保存順序を示す図である。
【図８】本発明の他の実施形態による画像データの保存順序を示す図である。
【図９】従来のゲートドライバ内蔵液晶パネルのゲートラインシフト回路を示す回路図である。
【図１０】図９の回路に示した各信号のタイミング図である。
【図１１】本発明によるゲートドライバ内蔵液晶パネルのゲートラインシフト回路を示す回路図である。
【図１２】図１１の回路に示した各信号のタイミング図である。
【符号の説明】
【００６６】
３００…ＬＣＤ
３０２…駆動ドライバ
３０４…ＬＣＤパネル
３０６…データライン駆動部
３０８…ゲートライン駆動部
３１０…タイミング制御部
３１２…駆動電圧発生部
３１４…階調電圧発生部
３１６…メモリ
３５０…グラフィックプロセッサ
３５２…周辺装置
３５４…ＣＰＵ
４０２…メモリスキャンアドレス生成器
４０４…ゲートドライバライン順次生成器
４０６…アドレス変更部
４０８…ライン順次変更部
【図１Ａ】
2006018299.tif 000003
【図１Ｂ】
2006018299.tif 000004
【図１Ｃ】
2006018299.tif 000005
【図２】
2006018299.tif 000006
【図３】
2006018299.tif 000007
【図４】
2006018299.tif 000008
【図５】
2006018299.tif 000009
【図６】
2006018299.tif 000010
【図７】
2006018299.tif 000011
【図８】
2006018299.tif 000012
【図９】
2006018299.tif 000013
【図１０】
2006018299.tif 000014
【図１１】
2006018299.tif 000015
【図１２】
2006018299.tif 000016